(57)【特許請求の範囲】
【請求項１】
シャフトの先端にギヤケース部を介して設けられ草を切断する円板状の回転刃を備えるとともに、該回転刃の上面に対して略垂直に設けられ当該回転刃で切断された切断草を受ける草受け面を有し該草受け面により切断草の飛散を防止する板状の飛散防止板を備えた草刈機において、
上記飛散防止板を、可撓性樹脂で構成し、
該飛散防止板の下縁を、上記回転刃の上面に摺接させ、
上記飛散防止板の上記草受け面の中間部を、上記回転刃の上面に平行な方向に厚さを薄くして形成し、該回転刃の回転方向と逆方向に屈折可能にしたことを特徴とする草刈機。
【請求項２】
上記飛散防止板を、上記シャフトよりも上記回転刃の回転方向前位に設け、該飛散防止板の一端側を該シャフトの延びている側とは反対側に上記ギヤケース部を覆うように突出して設け、上記飛散防止板の他端側を該シャフトの延びている側であって上記回転刃の外周よりも突出して設けたことを特徴とする請求項１記載の草刈機。
【発明の詳細な説明】
【技術分野】
【０００１】
本発明は、草刈機に関し、特に、切断された切断草の飛散及び草刈機に対する巻き付きを防止した草刈機に関する。
【背景技術】
【０００２】
一般に、草刈機は、シャフトの先端にギヤケースを介して円板状の回転刃が設けられており、シャフトに設けられたエンジンによってギヤケースのギヤを回転させ、ギヤの回転により回転刃が回転させられる。
回転刃によって切断された切断草は飛散されるので集草率が低い。また、回転刃によって小石や土壌塊等の固形物体も飛散されるので、作業者の体に固形物体がぶつかり危険であるという問題があった。また、飛散された切断草がギヤケースに巻き付いたりすると、ギヤの回転が妨げられ、回転刃が回転しなくなるという問題もあった。
【０００３】
そこで、従来においては、例えば、特許文献１（特開２００１−１０３８２４号公報）に掲載されたものが知られている。これは、図７に示すように、プラスチック板，鉄板等をスプーン状に折り曲げて形成した安全装置１００をシャフト１０１及びギヤケース１０２に取付け、シャフト１０１とシャフト１０１の先端に設けられた回転刃１０３の上面とで形成される三角形の隙間を塞いだものである。
【０００４】
この安全装置１００を取り付けることにより、飛散された切断草が安全装置１００に当たって下に落ちて溜まるので集草率が向上する。同様に、小石や土壌塊等の固形物体を安全装置１００が受けるので、固形物体が作業者に当たらなくなり、危険性が低減される。また、三角形の隙間から回転刃１０３で切断した切断草が飛散して侵入することを防止するので、切断草がギヤケース１０２に巻き付いたり、詰まったりすることを防止できる。
【０００５】
【特許文献１】特開２００１−１０３８２４号公報
【発明の開示】
【発明が解決しようとする課題】
【０００６】
しかしながら、この従来の草刈機にあっては、安全装置１００がプラスチック板や鉄板で構成されており、安全装置１００と回転刃１０３とが接触しないように、安全装置１００を回転刃１０３の上面から一定の距離をあけて設けられているので、この隙間から切断草が侵入し、ギヤケース１０２に切断草が巻き付くという問題があった。また、隙間から切断草や固形物体が侵入するので、飛散防止が確実でなく、集草率の向上及び危険性の低減が充分でないという問題があった。
【０００７】
本発明は、このような問題点に鑑みてなされたもので、回転刃によって切断された切断草がギヤケースに巻き付くことを確実に防止し、切断草や固形物体が飛散するのを防止して集草率を向上させるとともに危険性を低減させた草刈機を提供することを目的とする。
【課題を解決するための手段】
【０００８】
このような目的を達成するため、本発明の草刈機は、シャフトの先端にギヤケース部を介して設けられ草を切断する円板状の回転刃を備えるとともに、該回転刃の上面に対して略垂直に設けられ当該回転刃で切断された切断草を受ける草受け面を有し該草受け面により切断草の飛散を防止する板状の飛散防止板を備えた草刈機において、上記飛散防止板を、可撓性樹脂で構成し、該飛散防止板の下縁を、上記回転刃の上面に摺接させた構成としている。
【０００９】
草刈機を駆動させて草を切断していくと、回転刃によって切断された切断草は、回転刃の回転方向に遠心力を与えられて飛散しようとする。飛散しようとした切断草は、草受け面に当たって飛散防止板の下に落ちて溜まるようになり、そのため、集草率を向上させることができる。同様に、回転刃を回転させると、小石や土壌塊等の固形物体も飛散しようとする。飛散しようとした固形物体は、草受け面に当たって飛散防止板の下に落ちるようになり、そのため、固形物体が作業者に当たらなくなるので危険性を低減させることができる。この場合、飛散防止板の下縁を回転刃の上面に摺接させることにより、飛散防止板と回転刃の上面との間に隙間が生じず、飛散しようとする切断草や固形物体が隙間から侵入することが抑止されるので、切断草及び固形物体の飛散を確実に防止することができるとともに、切断草がギヤケース部に巻き付くことを確実に防止することができる。また、飛散防止板を可撓性樹脂で構成したので、飛散防止板と回転刃の上面とを摺接させても回転刃の回転を妨げることがない。
【００１０】
そして、必要に応じ、上記飛散防止板を、上記シャフトよりも上記回転刃の回転方向前位に設け、該飛散防止板の一端側を該シャフトの延びている側とは反対側に上記ギヤケース部を覆うように突出して設け、上記飛散防止板の他端側を該シャフトの延びている側であって上記回転刃の外周よりも突出して設けた構成としている。これにより、シャフト及びギヤケース部の前に飛散防止板が設けられることになるので、草受け面が確実に切断草及び固形物体を受けることができ、切断草及び固形物体の飛散を防止することができるとともに、切断草がギヤケース部に巻き付くことを防止することができる。また、飛散防止板の一端側をギヤケース部を覆うように突出して設け、他端側をシャフトの延びている側であって回転刃の外周よりも突出して設けているので、草受け面に当たって下に落ちた切断草が、回転刃の回転運動等により移動してギヤケース部に巻き付くことを防止することができる。
【００１１】
また、必要に応じ、上記飛散防止板の上記草受け面の中間部を、上記回転刃の上面に平行な方向に厚さを薄くして形成し、該回転刃の回転方向と逆方向に屈折可能にした構成としている。草刈機で草を切断していくと、切断草は飛散防止板の下に落ちて回転刃の上面に溜まるようになる。このとき、飛散防止板に無理な力が作用しても、例えば、溜まった切断草によって回転刃が切断すべき草に届かなくなり、切断草が飛散防止板の草受け面をシャフト方向に押し込むようになった場合でも、飛散防止板の草受け面の中間部がヒンジ作用をして回転刃の回転方向と逆方向に屈折し、飛散防止板と回転刃の上面との間に隙間を生じさせ、回転刃の上面に溜まった切断草を回転刃の回転方向へ移動させる。これにより、一定量以上の切断草が回転刃の上面に溜まると、自動的に溜まった切断草を回転刃の上面から排除するので、回転刃に過負荷がかからず、草刈機が破損することを防止することができる。
【発明の効果】
【００１２】
本発明の草刈機によれば、飛散しようとする切断草は、草受け面に当たって飛散防止板の下に落ちて溜まるようになるので、集草率を向上させることができる。同様に、飛散しようとする固形物体は、草受け面に当たって飛散防止板の下に落ちるようになるので、固形物体が作業者に当たらなくなり危険性を低減させることができる。この場合、飛散防止板の下縁を回転刃の上面に摺接させることにより、飛散防止板と回転刃の上面との間に隙間が生じず、飛散しようとする切断草や固形物体が隙間から侵入することが抑止されるので、切断草及び固形物体の飛散を確実に防止することができるとともに、切断草がギヤケース部に巻き付くことを確実に防止することができる。更に、飛散防止板を可撓性樹脂で構成したので、飛散防止板と回転刃の上面とを摺接させても回転刃の回転を妨げることがない。
【発明を実施するための最良の形態】
【００１３】
以下、添付図面に基づいて本発明の実施の形態に係る草刈機を説明する。
図１乃至図６に示す本発明の実施の形態に係る草刈機Ｋの基本的構成は、シャフト１と、ギヤケース部１０と、回転刃２０と、飛散防止板３０とを備えてなる。
【００１４】
シャフト１は、図１乃至図４，図６に示すように、円筒状に形成されている。シャフト１の先端にはギヤ（図示せず）が設けられ、後端にはエンジン２が設けられている。また、ギヤとエンジン２との間には、ハンドル３が設けられている。更に、シャフト１の腔内には、エンジン２から発せられた電力をギヤに伝達し、ギヤを回転せしめる伝動体４が設けられている。
図１中、符号５は、シャフト１に位置変更可能に設けられる安全カバーである。
【００１５】
ギヤケース部１０は、図１乃至図６に示すように、シャフト１の先端に設けられている。伝導体４とギヤとの接続部及びギヤと後述の回転刃２０との接続部を覆うカバーの役割を果たすものである。
【００１６】
回転刃２０は、図１乃至図６に示すように、円板状に形成され、シャフト１の先端にギヤケース部１０を介して設けられている。この回転刃２０は、シャフト１の先端に、回転刃２０の中心部とギヤとが噛合されて設けられている。
【００１７】
飛散防止板３０は、図１乃至図６に示すように、ゴム等の可撓性樹脂で構成され、板状に形成されている。下縁３５が回転刃２０の上面に摺接して略垂直に設けられ、回転刃２０で切断された切断草を受ける草受け面３１を有している。また、シャフト１よりも回転刃２０の回転方向前位に設けられ、一端３２側がシャフト１の延びている側とは反対側にギヤケース部１０を覆うように突出して設けられ、他端３３側がシャフト１の延びている側であって回転刃２０の外周よりも突出して設けられている。実施の形態では、一端３２側をギヤケース部１０の外径より１０％程度長くし、他端３３側を回転刃２０の外径より２０％程度長く形成している。この飛散防止板３０は、弓状に湾曲形成されている。
飛散防止板３０は、ギヤケース部１０のシャフト１との軸状の接続部分に取付けられている。即ち、図２，図３，図５及び図６に示すように、飛散防止板３０の草受け面３１とは反対側の面には、飛散防止板３０の長手方向に沿い、後述の中間部３６よりも上側において、板状の補強体３７が設けられ、この補強体３７に、飛散防止板３０とギヤケース部１０とを接続する断面コ字状の接続体３８が設けられている。そして、この接続体３８を、ボルト３９ａ及びナット３９ｂで締め付け、ギヤケース部１０を挾持することにより、飛散防止板３０は取付け固定されている。
【００１８】
草受け面３１は、図１乃至図６に示すように、その中間部３６が、回転刃２０の上面に平行な方向に厚さを薄くして形成され、回転刃２０の回転方向と逆方向に屈折可能に形成されている。実施の形態では、飛散防止板３０の上縁３４及び下縁３５から草受け面３１の中間部３６に向けて徐々に厚さを薄くしていき、最薄箇所では、飛散防止板３０の上縁３４及び下縁３５の厚さよりも３０％程度薄く形成されている。
【００１９】
このように構成される本実施の形態に係る草刈機Ｋを使用する場合は、以下のようにする。これは、吊り紐によって草刈機Ｋを肩に掛けて、回転刃２０を左右に振りながら作業者から見て左側にある草を草刈する場合である。先ず、吊り紐を肩に掛けて、両手でハンドル３を把持する。そして、エンジン２を駆動させて回転刃２０を回転させる。このとき、回転刃２０は作業者から見て反時計回りに回転する。
【００２０】
この状態で回転刃２０を左右に振りながら作業者から見て左側にある草を草刈していく。切断したい草の根元に回転刃２０を接触させ、草を切断しながら回転刃２０の位置を作業者から見て左へ移動させていく。このとき、小石や土壌塊等の固形物体が、回転刃２０の回転によって飛散しようとするが、飛散防止板３０がシャフト１及びギヤケース部１０より前に位置しているので、飛散しようとした固形物体は、飛散防止板３０の草受け面３１に当たって飛散防止板３０の下に落ちるようになり、そのため、固形物体が作業者に当たらなくなるので危険性を低減させることができる。
【００２１】
また、切断された切断草は、回転刃２０の回転方向に遠心力を与えられて飛散しようとするが、飛散防止板３０の草受け面３１に当たって飛散防止板３０の下に落ちて回転刃２０の上面に溜まるようになるので、集草率を向上させることができる。ある程度草刈作業を行ない、回転刃２０の上面に一定量の切断草が溜まったら、溜まった切断草を地面に落とす。こうすることで、作業終了後に、箒などで切断草を集める手間を省くことができる。
【００２２】
また、飛散防止板３０は、その下縁３５が回転刃２０の上面に摺接しているので、飛散防止板３０と回転刃２０の上面との間に隙間が生じず、飛散しようとする切断草や固形物体が隙間から侵入することがないので、切断草及び固形物体の飛散を確実に防止することができるとともに、切断草がギヤケース部１０に巻き付くことを確実に防止することができる。更に、飛散防止板３０を可撓性樹脂で構成したので、飛散防止板３０と回転刃２０の上面とを摺接させても回転刃２０の回転を妨げることがない。
【００２３】
更に、飛散防止板３０は、一端３２側がギヤケース部１０を覆うように突出し、他端３３側が回転刃２０の外周よりも突出して設けられているので、草受け面３１に当たって下に落ちた切断草が、回転刃２０の回転運動等により飛散防止板３０の設けられていない側に移動することを防止でき、そのため、切断草がギヤケース部１０に巻き付くことを防止することができる。
【００２４】
そして、回転刃２０の上面に一定量の切断草が溜まった状態にも関わらず草刈作業を続けた場合、例えば、溜まった切断草によって回転刃２０が切断すべき草に届かなくなり、切断草が飛散防止板３０の草受け面３１をシャフト１方向に押し込むようになる等、飛散防止板３０に無理な力が作用するようになる。このとき、飛散防止板３０の草受け面３１はゴム等の可撓性樹脂で構成され中間部３６が厚さを薄くして形成されているので、その中間部３６がヒンジ作用をして回転刃２０の回転方向と逆方向に屈折し、飛散防止板３０と回転刃２０の上面との間に隙間を生じさせ、回転刃２０の上面に溜まった切断草を隙間を通して回転刃２０の回転方向へ移動させる。これにより、一定量以上の切断草が回転刃２０の上面に溜まると、自動的に溜まった切断草を回転刃２０の上面から排除するので、回転刃２０に過負荷がかからず、草刈機Ｋが破損することを防止することができる。
【００２５】
ある程度草刈作業を行ない、溜まった切断草を地面に落としたら、次の切断したい草の根元に回転刃２０を接触させ、草を切断しながら回転刃２０の位置を作業者から見て左へ移動させていく。
【００２６】
尚、本発明の草刈機Ｋに係る飛散防止板３０は、どのような草刈機にも設けることが可能であるので、上記実施の形態に係る草刈機Ｋに限定されないのは勿論である。
【図面の簡単な説明】
【００２７】
【図１】本発明の実施の形態に係る草刈機を示す斜視図である。
【図２】本発明の実施の形態に係る草刈機の要部を示す平面図である。
【図３】本発明の実施の形態に係る草刈機の要部を示す正面図である。
【図４】本発明の実施の形態に係る草刈機の要部を示す側面図である。
【図５】本発明の実施の形態に係る草受け面が屈折した場合を示す拡大側面図である。
【図６】本発明の実施の形態に係る草刈機の要部を示す斜視図である。
【図７】従来の草刈機の一例を示す平面図（Ａ）、側面図（Ｂ）である。
【符号の説明】
【００２８】
Ｋ  草刈機
１  シャフト
２  エンジン
３  ハンドル
４  伝導体
５  安全カバー
１０  ギヤケース部
２０  回転刃
３０  飛散防止板
３１  草受け面
３２  一端
３３  他端
３４  上縁
３５  下縁
３６  中間部
３７  補強体
３８  接続体
３９ａ  ボルト
３９ｂ  ナット
【図１】
0004477046.tif 000002
【図２】
0004477046.tif 000003
【図３】
0004477046.tif 000004
【図４】
0004477046.tif 000005
【図５】
0004477046.tif 000006
【図６】
0004477046.tif 000007
【図７】
0004477046.tif 000008